(57)【要約】【課題】照明制御システムにおいて、照明光の調光レベルや色温度を、簡易に直感的に設定することができるようにする。【解決手段】照明制御システム１は、識別情報が付された照明器具２と、照明器具２の調光レベル及び照射光の色温度に関する点灯条件を設定するコントローラ３と、照明器具２に調光信号を出力する調光装置４と、を備える。照明器具２は、照射光を変調して照明器具２の識別情報及び点灯情報に関する情報信号を重畳する変調部２６を備える。コントローラ３は、制御信号を調光装置４に出力する無線通信部３１と、照明器具２の画像を表示する表示部３５及びタッチパネル部３６と、照射光に重畳された情報信号から識別情報及び点灯情報を読み取る可視光受信部３８と、を備える。表示部３５は、照明器具２の画像と可視光受信部３８が読み取った情報とを対応付け、照明器具２の画像をその点灯情報が反映されるように表示する。【選択図】図２
2014056670.tif 000002
【特許請求の範囲】
【請求項１】
識別情報が付された照明器具と、前記照明器具の調光レベル及び照射光の色温度に関する点灯条件を設定するためのコントローラと、前記コントローラにより設定された点灯条件に従って前記照明器具を点灯制御するための調光信号を出力する調光装置と、を備えた照明制御システムであって、
前記照明器具は、照明負荷と、前記調光装置からの調光信号を受信する調光信号受信部と、前記照明負荷からの照射光を変調して該照射光に該照明器具の識別情報及び点灯情報に関する情報信号を重畳する変調部と、を備え、
前記コントローラは、前記照明器具の点灯条件を含む制御信号を無線通信により前記調光装置に対して出力する無線通信部と、前記照明器具の識別情報と該照明器具の画像とを関連付けて記憶する記憶部と、前記照明器具の画像を表示する表示部と、前記表示部に表示される画像上をユーザが指定するためのタッチパネル部と、前記照射光を受信したとき、該照射光に重畳された情報信号から前記識別情報及び点灯情報を読み取る可視光受信部と、を備え、
前記表示部は、前記照明器具の画像と前記可視光受信部が読み取った前記照明器具の識別情報とを対応付け、前記照明器具の画像を、該画像と対応する前記照明器具の点灯情報が反映されるように表示し、
前記無線通信部は、前記表示部に表示された前記照明器具の画像上の前記タッチパネル部がタッチ操作されたとき、その操作パターンに基づいて前記画像と関連付けられた前記照明器具の点灯条件を設定するための制御信号を前記調光装置に出力することを特徴とする照明制御システム。
【請求項２】
前記可視光受信部は、前記照明器具の画像を取得するための画像取得部として機能することを特徴とする請求項１に記載の照明制御システム。
【請求項３】
前記照明器具を複数備え、
前記表示部は、前記画像取得部が取得した複数の前記照明器具の画像を、該画像と夫々対応する複数の前記照明器具の点灯情報が反映されるように表示することを特徴とする請求項２に記載の照明制御システム。
【請求項４】
前記コントローラは、前記タッチパネル部上でタッチ操作された１点が、前記表示部に表示された複数の前記照明器具の画像のうち、２個以上の画像を囲う一連の操作パターンであるとき、囲われた前記画像と関連付けられた前記照明器具をグループ化し、グループ化された前記照明器具の点灯条件を一括して設定することを特徴とする請求項３に記載の照明制御システム。
【請求項５】
前記調光装置は、前記照明器具の識別情報と該照明器具の画像とを関連付けて記憶する記憶部と、前記照明器具の画像を表示する表示部と、前記表示部に表示される画像上をユーザが指定するためのタッチパネル部と、を備えることを特徴とする請求項１乃至請求項４のいずれか一項に記載の照明制御システム。
【発明の詳細な説明】
【技術分野】
【０００１】
本発明は、照明器具の調光レベルや色温度を制御する照明制御システムに関する。
【背景技術】
【０００２】
従来から、複数の照明器具の調光状態（照度）を予め設定されたタイムスケジュールに応じて制御し、省力化及び省エネ化を図る照明装置が知られている（例えば、特許文献１参照）。この照明装置では、制御装置に接続された複数の照明器具に予めＩＤアドレス等の識別情報が設定され、これらの照明器具を予め設定されたタイムスケジュールに応じてそれぞれ照度、及び点消灯を制御することができる。
【０００３】
ところが、この装置では、各照明器具が設定通りに点灯制御されているかを確認する際には、対象となる照明器具に関連付けられた識別情報を割り出し、この識別情報に基づいて照明器具の点灯状態等を調べる必要があり、確認操作が煩雑となる。そこで、複数の照明器具の識別情報を、照明器具の照明光を変調して通信信号を送信する可視光通信技術を利用してコントローラに送信し、この識別情報に基づいて各照明器具をフィードバック制御する照明制御システムが知られている（例えば、特許文献２参照）。
【先行技術文献】
【特許文献】
【０００４】
【特許文献１】特開２００２−３７３７９４号公報
【特許文献２】特表２００８−５３７３０７号公報
【発明の概要】
【発明が解決しようとする課題】
【０００５】
しかしながら、従来の照明制御システムのコントローラにおける設定パラメータは、主として調光レベル（明るさ）であったが、近年では、光源として発光色が異なる複数種のＬＥＤや有機ＥＬ素子等を用いた色温度可変型の照明器具が普及している。そのため、照明器具の点灯条件をコントローラは、明るさだけでなく、照明光の色温度といった複数の設定パラメータを設定する必要があり、そのような設定操作は、照明光学等の専門知識のない一般ユーザにとって容易ではない。上記特許文献２の照明制御システムでは、コントローラにいくつかのコマンドボタンが配されているだけで、照明器具における複数のパラメータの設定には適していない。
【０００６】
本発明は、上記課題を解決するものであり、専門知識のない一般ユーザであっても、照明光の調光レベルや色温度を、簡易に直感的に設定することができる照明制御システムを提供することを目的とする。
【課題を解決するための手段】
【０００７】
上記課題を解決するために、本発明は、識別情報が付された照明器具と、前記照明器具の調光レベル及び照射光の色温度に関する点灯条件を設定するためのコントローラと、前記コントローラにより設定された点灯条件に従って前記照明器具を点灯制御するための調光信号を出力する調光装置と、を備えた照明制御システムであって、前記照明器具は、照明負荷と、前記調光装置からの調光信号を受信する調光信号受信部と、前記照明負荷からの照射光を変調して該照射光に該照明器具の識別情報及び点灯情報に関する情報信号を重畳する変調部と、を備え、前記コントローラは、前記照明器具の点灯条件を含む制御信号を無線通信により前記調光装置に対して出力する無線通信部と、前記照明器具の識別情報と該照明器具の画像とを関連付けて記憶する記憶部と、前記照明器具の画像を表示する表示部と、前記表示部に表示される画像上をユーザが指定するためのタッチパネル部と、前記照射光を受信したとき、該照射光に重畳された情報信号から前記識別情報及び点灯情報を読み取る可視光受信部と、を備え、前記表示部は、前記照明器具の画像と前記可視光受信部が読み取った前記照明器具の識別情報とを対応付け、前記照明器具の画像を、該画像と対応する前記照明器具の点灯情報が反映されるように表示し、前記無線通信部は、前記表示部に表示された前記照明器具の画像上の前記タッチパネル部がタッチ操作されたとき、その操作パターンに基づいて前記画像と関連付けられた前記照明器具の点灯条件を設定するための制御信号を前記調光装置に出力することを特徴とする。
【０００８】
上記照明制御システムにおいて、前記可視光受信部は、前記照明器具の画像を取得するための画像取得部として機能することが好ましい。
【０００９】
上記照明制御システムにおいて、前記照明器具を複数備え、前記表示部は、前記画像取得部が取得した複数の前記照明器具の画像を、該画像と夫々対応する複数の前記照明器具の点灯情報が反映されるように表示することが好ましい。
【００１０】
上記照明制御システムにおいて、前記コントローラは、前記タッチパネル部上でタッチ操作された１点が、前記表示部に表示された複数の前記照明器具の画像のうち、２個以上の画像を囲う一連の操作パターンであるとき、囲われた前記画像と関連付けられた前記照明器具をグループ化し、グループ化された前記照明器具の点灯条件を一括して設定することが好ましい。
【００１１】
上記照明制御システムにおいて、前記調光装置は、前記照明器具の識別情報と該照明器具の画像とを関連付けて記憶する記憶部と、前記照明器具の画像を表示する表示部と、前記表示部に表示される画像上をユーザが指定するためのタッチパネル部と、を備えること
が好ましい。
【発明の効果】
【００１２】
本発明によれば、照明器具がコントローラに対して識別情報及び点灯情報を可視光通信により送信し、コントローラの表示部がこれらの情報を表示するので、ユーザは、各照明器具が設定された点灯条件通りに制御されているかを容易に確認することができる。また、表示部に表示された照明器具の画像上をタッチ操作すれば、その画像に関連付けられた照明器具の点灯設定が行なわれるので、専門知識のない一般ユーザであっても、照明光の調光レベルや色温度を、簡易に直感的に設定することができる。
【図面の簡単な説明】
【００１３】
【図１】本発明の一実施形態に係る照明制御システムのブロック構成図。
【図２】同照明制御システムの構成図。
【図３】同照明制御システムのコントローラによる照明器具の識別情報の取得操作を説明するための斜視図。
【図４】（ａ）（ｂ）は同コントローラにおける照明器具の識別情報の取得画面を示す図。
【図５】同コントローラにおける照明器具のバーチャル表示画面を示す図。
【図６】同コントローラにおける照明器具の点灯条件の設定操作画面を示す図。
【図７】同コントローラの表示部に表示されるスケジュール設定画面を示す図。
【図８】同コントローラにおける照明器具のグループ化の設定操作画面を示す図。
【図９】同コントローラにおける照明器具のグループ化の別の設定操作画面を示す図。
【図１０】同コントローラにおけるグループ化された照明器具の点灯条件の設定操作画面を示す図。
【図１１】（ａ）（ｂ）は同コントローラにおける照明器具のグループ化の更に別の設定操作画面を示す図。
【図１２】（ａ）（ｂ）は同コントローラにおける照明器具のグループ化の更に別の設定操作画面を示す図。
【図１３】上記実施形態の変形例に係る照明制御システムのブロック構成図。
【発明を実施するための形態】
【００１４】
本発明の第１の実施形態に係る照明制御システムについて、図１乃至図１２を参照して説明する。図１に示すように、本実施形態の照明制御システム１は、所定の空間に配された複数の照明器具Ｌ１１〜Ｌ１ｎ（以下、総称して照明器具２という）と、各照明器具２の明るさ及び色温度といった点灯条件を設定するためのコントローラ３と、を備える。また、照明制御システム１は、コントローラ３によって設定された点灯条件に従って各照明器具２を点灯制御するための調光信号を出力する調光装置４を備える。この照明制御システム１は、例えば、オフィスビルの会議室や一般住宅や店舗や一般住宅等に好適に用いられる。
【００１５】
図２に示すように、照明器具２は、照明負荷２１と、調光装置４からの調光信号を受信する調光信号受信部２２と、照明負荷２１を点灯させる所要電力を供給する点灯回路部２３と、これらを駆動する制御部２４と、を備える。また、照明器具２は、商用電源を点灯回路部２３で用いられる所定の電流に変換変圧する電源部（不図示）を備える。照明負荷２１は、発光色が異なる複数種のＬＥＤや有機ＥＬ素子等を組み合わせることにより、照射光の色温度が可変となるように構成される。点灯回路部２３は、制御部２４の指示を受けて照明負荷２１に所定の電流を供給するためのスイッチ回路及び変圧回路等を備える。制御部２４は、汎用の照明制御用マイコン及びメモリ等から構成され、当該照明器具２の識別情報を記憶し、その照明制御システム１内におけるＩＤアドレス（識別番号）を設定するためのアドレス設定部２５を有する。このアドレス設定部２５は、直接入力用のディップスイッチ又は外部から専用端末を介してその照明器具２固有のＩＤアドレスを入力するためコネクタ及びメモリ等から構成される。上記識別情報は、照明器具２の出荷段階において予め設定されている。
【００１６】
また、照明器具２は、照明負荷２１からの照射光を変調して、照射光に照明器具２の識別情報及びその点灯情報に関する情報信号を重畳する変調部２６を更に備える。この変調部２６は、制御部２４によって設定された所定の変調制御信号に基づいて、点灯回路部２３から照明負荷２１に供給される電流を切り替えることにより、照射光に照明器具２の識別情報及びその点灯情報を重畳する。ここで言う点灯情報には、照明器具２の調光範囲、色温度範囲等のプロファイルデータや、消費電力やランプ交換時期を知らせるための累積点灯時間情報といった状態データが含まれる。
【００１７】
コントローラ３は、調光装置４との間で制御信号を無線通信により出力する無線通信部３１と、時刻を計時する計時部３２と、照明器具２の画像（静止画）等を記憶する記憶部３３と、無線通信部３１等を動作させる制御部３４と、を備える。上記制御信号には、照明器具２の点灯条件の設定情報が含まれる。また、コントローラ３は、照明器具２の静止画等を表示する表示部３５と、表示部３５に表示される静止画をユーザが指定するためのタッチパネル部３６と、を備える。表示部３５は、制御部３４の指示を受けて表示ドライバ部３７によって駆動される。
【００１８】
また、コントローラ３は、所定条件で照明器具２の照射光を受信したとき、その照射光に重畳された情報信号から照明器具２の識別情報及び点灯情報を読み取る可視光受信部３８を備える。この可視光受信部３８は、ＣＣＤ又はＣＭＯＳ等の受光素子を有し、照明器具２の静止画を撮影する等により照明器具２の画像を取得するための画像取得部としても機能する。
【００１９】
コントローラ３は、屋内の任意の場所に持ち運び自在の端末であり、照明器具２と有線接続された調光装置４との間で無線通信により上記制御信号を伝送する。好ましくは、コントローラ３として、専用のソフトウェアをインストールしたタブレット端末又はスマートフォン等の多機能携帯端末が用いられるが、照明制御システム１の専用端末であってもよい。コントローラ３は、外部電源から所要電力を得る制御電源部及び所定容量のバッテリー（いずれも不図示）を備える。
【００２０】
無線通信部３１は、制御部３４の指示を受けて、後述する手順によって設定された照明器具２の点灯条件に従って、調光装置４に向けて所定の制御信号を出力する。無線通信には、ＮＦＣ／ＦｅｌｉＣａ，ＩｒＤＡ（赤外線）、無線ＬＡＮ（ＷｉＦｉ）等が用いられる。本例においては、コントローラ３から調光装置４への一方向の無線通信が可能であればよく、汎用のリモコンに用いられる赤外線伝送等が用いられてもよい。
【００２１】
計時部３２には、汎用のクロック素子が用いられ、２４時間スケジュール制御を行なうための現在時刻を計時する。記憶部３３には、ＥＥＰＲＯＭ等の不揮発性記憶素子が用いられる、又は制御部３４に用いられるマイコン（例えば、ワンチップマイコン）に内蔵のものが用いられる。この記憶部３３は、可視光受信部３８によって撮影された照明器具２の静止画を、照明器具２に付された識別情報と関連付けて記憶する。制御部３４には、汎用のマイクロコンピュータ（ＣＰＵ）が用いられる。表示部３５には、ＬＥＤ等のバックライトを備えた液晶ディスプレイ、又は有機ＥＬディスプレイ等が用いられる。表示ドライバ部３７は、記憶部３３に記憶された静止画をアイコン化して表示部３５に表示させる。タッチパネル部３６は、抵抗膜方式又は静電方式等により、表示部３５上に接触するユーザの指先の位置を検出する。
【００２２】
調光装置４は、コントローラ３の無線通信部３１と無線通信を行なう無線通信部４１と、所定の調光信号を照明器具２へ出力する調光信号出力部４２と、照明器具２の識別情報等を記憶する記憶部４３と、調光信号出力部４２等を動作させる制御部４４と、を備える。また、調光装置４は、コントローラ３によって設定された点灯情報に従って調光信号出力部４２を駆動させる時刻を計時する計時部４５を備える。無線通信部４１は、コントローラ３の無線通信部３１に応じた受信部を備える。調光信号出力部４２は、無線通信部３１から受信した制御信号に従って所定の調光信号を出力する。調光信号としては、デジタル調光信号（ＤＡＬＩ、ＤＭＸ等）やＰＷＭ信号等が用いられる。調光装置４は、コントローラ３を用いることなく点灯制御するためのフェーダ又はボリュームスイッチ等の操作部（不図示）を備えていてもよい。記憶部４３及び制御部４４は、コントローラ３のものと同様である。計時部４５には、リアルタイムクロックＩＣ等が用いられる。
【００２３】
次に、コントローラ３による照明器具２の識別情報を取得する操作について、図３及び図４を参照して説明する。ここでは、各照明器具２には予め識別情報が付されており、調光装置４の記憶部４３には、それら照明器具２の識別情報が記憶されているものとする。また、記憶部４３に記憶される照明器具２の識別情報には、照明器具２が出荷段階で予め付された個別のＩＤアドレスと、本システムを採用した照明環境における複数の照明器具２の相対座標情報が含まれる。なお、図例の照明空間は、図中左側に窓Ｗがあり、右側が廊下（不図示）側であり、窓側から廊下側に向けて照明器具２が明るく点灯している状況を示す。
【００２４】
まず、ユーザは、コントローラ３のメイン画面（不図示）から、コントローラ３における照明器具２の識別情報取得モードを起動する（図２も参照）。コントローラ３は、無線通信部３１を介して識別情報取得モードが起動されたことを調光装置４に伝達する。また、コントローラ３は、可視光受信部３８（画像撮像部）を駆動して、図３及び図４（ａ）に示すように、照明器具２が配された照明空間を撮影し、その照明空間画像を表示部３５に表示する。このとき、制御部３４は、画像認識ソフトウェアを用いて、照明空間画像に含まれる照明器具２の画像を抽出する。また、調光装置４は、コントローラ３から識別情報取得モードの起動が伝達されると、各照明器具２の変調部２６を順次駆動させることで、各照明負荷２１からの照明光に、その照明器具２の識別情報、及びその照明器具２の点灯情報に関する情報信号を重畳させる。
【００２５】
コントローラ３は、可視光受信部３８を介して上記情報信号から各照明器具２の識別情報及び点灯情報を読み取る。制御部３４は、上記識別情報に含まれる各照明器具２のＩＤアドレスと、各照明器具２の相対座標情報、及び照明空間画像から抽出された照明器具２の画像とを対比する。そして、制御部３４は、各照明器具のアイコン２’（画像）が現実の照明空間と同様の相対位置になるように配された照明空間の２次元画像データを作製する。更に、制御部３４は、図４（ｂ）に示すように、照明器具のアイコン２’と、照明器具２の識別情報とを対応付けた上で、表示ドライバ部３７を動作させ、上記２次元画像データに基づき、表示部３５に、照明器具のアイコン２’を、このアイコン２’と対応する照明器具２の点灯情報が反映されるように表示させる。具体的には、表示部３５に、照明器具のアイコン２’が、実際の照明器具２の明るさや照明光の色温度と同じ点灯条件で点灯しているように、表示部３５上の照明器具のアイコン２’の明るさ及び色を表示させる。つまり、コントローラ３は、実際の照明器具２の明るさや照明光の色温度を、表示部３５上でバーチャル表示する。なお、照明器具のアイコン２’の明るさ及び色を表示に加えて、各アイコン２’上に明るさ又は色温度の具体的な数値情報や、ＩＤアドレスを表示してもよい。
【００２６】
照明器具２の点灯条件を変更する場合、図５に示すように、ユーザは、表示部３５に表示された照明器具２のバーチャル表示画面において、設定変更したい照明器具のアイコン２’をタッチする。すると、そのアイコン２’が太枠表示され、図６に示すように、タッチされた照明器具２の点灯条件を変更するための設定変更ウィンドウが、バーチャル表示画面ポップアップ表示される。この設定変更ウィンドウは、タッチされた照明器具のアイコン２’を覆わない位置に表示されることが好ましい。
【００２７】
ユーザは、設定変更ウィンドウの明るさ変更用カーソル又は色温度変更用カーソルをタッチした上で、決定ボタンをタッチすれば、タッチ指定された照明器具２の点灯情報を変更することができる。なお、上記カーソルをタッチすると、設定変更ウィンドウの「明るさ」及び「色」の表示が、夫々調光率の「％」及び色温度の「Ｋ」を表す数値に切り替えられる。また、表示部３５上の照明器具のアイコン２’の明るさ及び色が、変更内容に応じて変化する。
【００２８】
そして、無線通信部３１は、表示部３５に表示された照明器具のアイコン２’（タッチパネル部３６）がタッチ操作されたとき、その操作内容に基づいてアイコン２’と関連付けられた照明器具２の点灯条件を設定するための制御信号を調光装置４に出力する。調光装置４は、コントローラ３により設定された点灯条件に従って、実際の照明器具２を点灯制御するための調光信号を出力する。これにより、実際の照明器具２を、コントローラ３でバーチャル表示された点灯条件通りの明るさ及び照明光の色温度に点灯させることができる。
【００２９】
従って、表示部３５に表示された照明器具のアイコン２’をタッチ操作すれば、そのアイコン２’に関連付けられた照明器具２の点灯設定が行なわれるので、専門知識のない一般ユーザであっても、照明光の調光レベルや色温度を、簡易に直感的に設定することができる。また、照明器具２の識別情報等は、照明器具２の照明光を用いた可視光通信によりコントローラ３に入力されるので、コントローラ３と調光装置４との間の通信手段としては、コントローラ３から調光装置４への一方向通信であってもよい。そのため、これらの通信手段として、汎用のリモコンに用いられる赤外線伝送のような比較的安価な汎用の通信端末を用いることができる。
【００３０】
また、照明器具２の点灯条件の変更がなされると、調光装置４は、各照明器具２に対して、上述した可視光通信により、各照明器具２の識別情報及び点灯情報に関する通信信号を再度送信させる。コントローラ３は、この通信信号を受信して、各照明器具２が、設定された点灯条件通りに点灯しているかを確認する。つまり、照明器具２がコントローラ３に対して識別情報及び点灯情報を、可視光通信により自動的に伝達し、表示部３５がそれらの情報を表示するので、ユーザは、各照明器具２が設定された点灯条件通りに制御されているかを容易に確認することができる。
【００３１】
ところで、設定変更ウィンドウには、対象の照明器具２のＩＤアドレスとニックネーム（図例の「会議室第１列廊下側（ＩＤ：００１２）」）を表示する表示欄が設けられる。ＩＤアドレスは、上述したように、照明器具２の出荷段階で予め付されている。一方、ニックネームは、ユーザが上記表示欄をタッチ操作すれば、タッチパネル部３６にソフトキーボード（不図示）がポップアップされ、このソフトキーボード（不図示）等をタッチ操作することで入力することができる。これら照明器具のアイコン２’、ＩＤアドレス及びニックネームが関連付けられ、これらのデータが記憶部３３に記録される。
【００３２】
また、ユーザが、図６に示した設定変更ウィンドウに表示されたシーン設定ボタンをタッチ操作すると、図７に示すように、表示部３５は、照明器具２の点灯条件を時間軸に伴って変化させるシーン設定のためのスケジュール設定画面に切り替わる。なお、このスケジュール設定画面は、コントローラ３のメイン画面（不図示）からも起動することができる。
【００３３】
このスケジュール設定画面には、スケジュール名表示欄、グラフ化されたスケジュール表、現在時刻表示欄、及び各種ボタンが表示される。スケジュール表では、横軸を時刻バー、縦軸を明るさバーとし、グラフ線は明るさの時系列的な変化を表現する。また、スケジュール表には、縦軸と並行にシーン設定用時刻線が表示される。一つのシーン再生区間は、スケジュール表の水平なグラフ線により規定され、隣合うシーン再生区間は、フェード動作区間によって接続される。このスケジュール表は、グラフ線が高い時間帯は明るく、グラフ線が低い時間帯は暗くなるように全体の照明が制御されていることを表現する。また、グラフ線と時刻バー、及びシーン設定用時刻線によって囲まれる領域（以下、グラフ内領域）が色分けされることによって、色温度が表示される。色温度は、例えば、高い順に青→白→黄→橙→赤で表示される。
【００３４】
各種ボタンには、調光レベル設定ボタン及び調光レベルｕｐ／ｄｏｗｎボタン、色温度設定ボタン及び色温度ｕｐ／ｄｏｗｎボタン、ズームイン／ズームアウトボタン、詳細設定入力ボタン、及びスケジュール設定完了を入力するための決定ボタンがある。ユーザがズームインボタンを指でタッチすると、スケジュール表が拡大表示される（不図示）。また、ユーザが、スケジュール設定画面上のグラフ線やシーン設定用時刻線をタッチ及びドラッグすることで、各シーン再生区間の長さや点灯条件を変更することができる。
【００３５】
また、コントローラ３は、表示部３５（タッチパネル部３６）においてスケジュール表のいずれかの時点が指定されると、その指定時点における照明シーンを、系統別に配された各照明器具の模式化により表現するシーン表示画面に切り替える。このシーン表示画面は、シーン再生時間が表示される点を除き、図５に示したバーチャル表示画面と同様の表示である。
【００３６】
調光装置４は、シーン再生において、シーン点灯条件が変化する毎に、各照明器具２に対して、上述した可視光通信により、各照明器具２の識別情報及び点灯情報に関する通信信号を持続的に送信させる。こうすれば、コントローラ３には、シーン再生中の照明空間の点灯条件をリアルタイムで再現することができる。また、シーン再生中の点灯条件も、上述したように、照明器具のアイコン２’をタッチ操作することで、図６に示した設定変更ウィンドウが表示され、シーン再生中における特定の照明器具２の点灯条件を直感的に変更することができる。
【００３７】
次に、複数の照明器具２の点灯条件を一括して設定できるようにするグループ化を設定する手順を説明する。図５に示した照明器具２のバーチャル表示画面で、例えば、ユーザが照明器具のアイコン２’以外の箇所をスクロールさせるタッチ操作を行なうと、表示部３５には、図８に示すように、グループ設定画面が表示される。このグループ設定画面は、照明器具２のバーチャル表示と、その欄外に複数のフォルダとを表示するものである。同画面において、ユーザが上記バーチャル表示における照明器具のアイコン２’を、上記フォルダにタッチ及びドラッグすることで、タッチ操作されたアイコン２’に関連付けられた照明器具２がドラッグ先のフォルダのグループに割り当てられる。この操作を繰り返すことで、複数の照明器具２をグループ化することができる。なお、このグループ設定画面は、コントローラ３のメイン画面（不図示）からも起動することができる。
【００３８】
また、図９に示すように、照明器具２のバーチャル表示画面において、表示部３５（タッチパネル部３６）上でタッチ操作された１点が、複数の照明器具のアイコン２’のうち、２個以上のアイコン２’を囲う一連の操作パターンであるとする。このとき、コントローラ３は、囲われたアイコン２’と関連付けられた照明器具２を一群のグループとしてグループ化する。この操作によれば、より直感的に複数の照明器具２をグループ化することができる。
【００３９】
照明器具２がグループ化されると、表示部３５には、グループ化された照明器具２を囲うグループ枠（図中点線）が表示される。図１０に示すように、ユーザがグループ枠をタッチ操作すると、設定変更ウィンドウがポップアップ表示され、そのグループに属する照明器具２の点灯条件を一括して設定することができる。なお、このグループにも照明器具２と同様に、ニックネームを設定することができる。
【００４０】
ここで、照明器具２のバーチャル表示画面から、上記グループの設定変更又は点灯条件を変更する操作例を説明する。図１１（ａ）に示すように、複数の照明器具が既にグループ化されている状態で、ユーザが複数のアイコン２’を囲う一連の操作パターンを行なったとする。このとき、図１１（ｂ）に示すように、新たに囲われたアイコン２’と関連付けられた照明器具２が一群のグループとしてグループ化される。新たに設定されたグループの点灯状態は、そのグループに属する照明器具２で最も多く設定されている点灯状態が踏襲される。
【００４１】
また、図１２（ａ）に示すように、ユーザが、ある照明器具のアイコン２’をタッチして、他のアイコン２’上にドラッグする操作パターンを行なったとする。このとき、図１２（ｂ）に示すように、タッチされたアイコン２’と関連付けられた照明器具２の点灯条件が、ドラッグ先のアイコン２’と関連付けられた照明器具２の点灯条件にも適用される。そして、ドラッグ先の照明器具２が、ドラッグ元の照明器具２の属するグループにグループ化される。
【００４２】
上述したグループの設定変更又は点灯条件の変更がなされると、表示部３５における照明器具のアイコン２’の明るさや色がリニアに変化するだけでなく、夫々の照明器具２の点灯条件が実現されるように、無線通信部３１から調光装置４に対して制御信号が送信される。こうすれば、コントローラ３における照明器具２のバーチャル表示と、実際の照明器具２の点灯がリアルタイムに対応するので、ユーザは、照明光の調光レベルや色温度を、簡易に直感的に設定することができる。
【００４３】
次に、上記実施形態の別の変形例に係る照明制御システムについて、図１３を参照して説明する。本変形例に係る照明制御システム１は、調光装置４が、表示部４６と、タッチパネル部４７と、表示ドライバ部４８と、を備えたものである。つまり、調光装置４自体がユーザーインターフェースを備えている。この変形例によれば、コントローラ３と同様に、各照明器具２の点灯条件の設定や、グループ化を行なうことができる。また、本変形例では、調光信号出力部４２と調光信号受信部２２との間で、デジタル調光信号を用いた双方向通信が行なわれる。これにより、消費電力やランプ交換時期を知らせるための累積点灯時間情報といった状態データを、照明器具２から調光装置４へ伝送し、これらの状態データを、調光装置４の表示部４６に表示させてユーザに報知することができる。
【００４４】
なお、この変形例では、調光装置４とコントローラ３とは双方向通信であることが好ましい。こうすれば、両操作端末間での情報共有が簡易となる。例えば、コントローラ３から調光装置４へ照明器具２の画像情報を送信し、また、調光装置４からコントローラ３へシーン再生データを送信し、このシーン再生データをコントローラ３で変更して、調光装置４へ返送すること等もでき、利便性が向上する。また、照明器具２から調光装置４へ伝送された状態データを、コントローラ３に伝送することができる。照明器具２からコントローラ３への可視光通信によれば、データの伝送範囲が照明器具２の周囲に限られるが、コントローラ３と調光装置４との間の無線通信にＷｉＦｉ等を用いれば、より広い範囲でデータを伝送することができる。
【００４５】
なお、本発明は上記実施形態の構成に限られず、種々の変形が可能である。例えば、上記実施形態において、可視光受信部３８が画像取得部としても機能し、照明器具２の静止画を撮像するものとして説明したが、画像取得部は可視光受信部３８と別体であってもよい。また、画像取得部はカメラ等の撮像手段に限らず、フラッシュメモリ等を用いた種々の情報輸送端末を介して、照明器具２のイラストや３Ｄ−ＣＡＤ画像を入力できるようしたものであってもよい。また、上記実施形態では、照明器具２のバーチャル表示画面は、照明器具のアイコン２’を２次元的に配置した例に基づいて説明したが、これらが３次元的に表示されてもよい。
【符号の説明】
【００４６】
１    照明制御システム
２    照明器具
２１    照明負荷
２２    調光信号受信部
２６    変調部
３    コントローラ
３１    無線通信部
３３    記憶部
３５    表示部
３６    タッチパネル部
３８    可視光受信部
４    調光装置
４３    記憶部
４５    表示部
４６    タッチパネル部
【図１】
2014056670.tif 000003
【図２】
2014056670.tif 000004
【図３】
2014056670.tif 000005
【図４】
2014056670.tif 000006
【図５】
2014056670.tif 000007
【図６】
2014056670.tif 000008
【図７】
2014056670.tif 000009
【図８】
2014056670.tif 000010
【図９】
2014056670.tif 000011
【図１０】
2014056670.tif 000012
【図１１】
2014056670.tif 000013
【図１２】
2014056670.tif 000014
【図１３】
2014056670.tif 000015